(57)【特許請求の範囲】
【請求項１】
地上の所定高さに設置される半透光性または非透光性の基板と、この基板の表面に多数実装されて照射方向が前記基板の中央側から周辺側にかけて垂直方向から次第に水平方向外向き寄りとなった黄色ＬＥＤとを備えた防蛾照明装置。
【請求項２】
前記本体の外周面に設置された多数の黄色ＬＥＤと、前記本体の上面に設けられた太陽電池と、この太陽電池に接続されて前記黄色ＬＥＤに給電する蓄電池を有する請求項１記載の防蛾照明装置。
【発明の詳細な説明】
【０００１】
【発明の属する技術分野】
この発明は、防蛾照明装置に関するものである。
【０００２】
【従来の技術】
（１）ヤガ（夜蛾）の被害と今までの防除法の問題点
ハスモンヨトウ、シロイチモジヨトウ、タバコガ、オオタバコガ、アワノメイガなどの夜行性昆虫（以下、ヤガ類と略す）の成虫が夜間に栽培植物に飛来し産卵し、その卵が孵化して幼虫になる。この幼虫が葉や新芽を食べ、栽培植物が正常に生育しなくなり、その結果、商品価値のないものになってしまう。この害虫の被害を軽減するには、成虫または幼虫に殺虫剤の散布が必要である。しかし、成虫に対する直接の散布はタイミングが難しい。また、幼虫も実の裏や蕾の中にいたりして、期待したほどの効果が得にくい。また、ヤガは農薬に対する薬剤耐性を持ち、更に強い農薬の開発の必要性が望まれている。しかし、作物への消費者の安全性のニーズの高まりから、減農薬という相反する課題が生じている。
【０００３】
これに対する解決法としてIPM （integrated pest management：総合的害虫管理）の一つとして、光（黄色光）による防除法がある。
【０００４】
（２）黄色蛍光ランプによる被害軽減とは
ヤガ類の産卵を抑えれば、結果的にこれらのヤガによる被害を軽減することが可能となる。栽培植物周辺で夜間照明を行い、ほ場を擬似的に昼間の光環境にすることにより被害を軽減する方法がある。この場合の光としては黄色光がもっとも効果がある。この黄色光を出す光源には、黄色蛍光ランプや黄色HID ランプ等がある。可能性としては黄色LED も考えられる。黄色光を用いた防除技術は、日長反応しない植物に対しては既に実用化されている。
【０００５】
この黄色光は、下記（イ）、（ロ）の二つの機能を有している。すなわち、（イ）夜間に暗適応しているヤガ類の複眼を明適応させ、産卵活動などを抑制させる効果がある。この場合に必要な照度は栽培作物面でおよそ1 ルクス以上必要である（ヤガ類は夜行性であり、昼間は活動しない）。（ロ）ヤガ類は黄色光を嫌うため、作物栽培場所への進入を防ぎ、飛来を忌避させることが出来る。黄色蛍光ランプの場合の照度と害虫のトラップ数の関係は、受光面が10ルクスの時0 ．0 匹、5 ルクスで平均0 ．3 匹、2 ルクスで1 ．3 匹となり、光源に近いほど黄色光の忌避効果が高くなり、黄色光による忌避効果が認められる（野村健一：吸蛾類に対する電灯照明の効果に関する二三の考察、千葉大学園芸学部学術報告第14号30頁（昭和41年））。
【０００６】
通常はこの二種類の機能の両方を利用して、ヤガ類による被害の軽減を行っている。
【０００７】
（３）日長反応する植物に対する黄色蛍光ランプ点灯での課題
日長時間が短くなると花芽をつけるキク等の短日性植物や、日長時間が長くなると花芽をつけるホウレンソウなどの長日性植物では、照度が一定値を超えると花芽分化に影響を与え商品価値を低下させ、正常な植物の生産・出荷量が低下する（照明学会「農作物に対する夜間照明の影響研究調査委員会報告書」8 頁（昭和60年））。キクでは黄色蛍光ランプによる照度が数ルクスから開花遅延（河野哲・八瀬順也：物理的防除の特性と利用技術、植物防疫、第50巻第11号32頁（1996））などの好ましくない影響が生じるため、栽培面での水平面照度を出来る限り下げる必要があった。即ち、黄色蛍光ランプを用いて従来型照明器具（配光制御をしていないもの）を日長反応作物のヤガ類の防除に使用することは実用上は不可能であった。
【０００８】
【発明が解決しようとする課題】
したがって、この発明の目的は、日長反応する植物の防除を農薬を減らして実現することができる防蛾照明装置を提供することである。
【０００９】
【課題を解決するための手段】
請求項１記載の防蛾照明装置は、地上の所定高さに設置される半透光性または非透光性の基板と、この基板の表面に多数実装されて照射方向が前記基板の中央側から周辺側にかけて垂直方向から次第に水平方向外向き寄りとなった黄色ＬＥＤとを備えたものである。
【００１０】
請求項１記載の防蛾照明装置によれば、光を水平から斜め上方に照射することができ、黄色光が作物に影響を与えることなく、作物の外方となる上方あるいは外側方を覆うように照射することができるので、外から栽培部への夜蛾の進入を忌避することができるとともに産卵活動等の行動を抑制して被害を軽減することができる。
これにより、従来は困難であった日長反応する植物（キク・イチゴ・ホウレンソウなど）の夜蛾の防除を農薬を減らして実現することが可能になった。
【００１１】
請求項２記載の防蛾照明装置は、請求項１において、前記本体の外周面に設置された多数の黄色ＬＥＤと、前記本体の上面に設けられた太陽電池と、この太陽電池に接続されて前記黄色ＬＥＤに給電する蓄電池を有するものである。
【００１２】
請求項２記載の防蛾照明装置によれば、ＬＥＤは小電力で点灯が可能であり、さらに、電源線のない露地では電源工事にコストがかかる。そのため、太陽電池及びその太陽電池により充電される蓄電池を備え、蓄電池からの電力により黄色ＬＥＤを点灯することにより、電源線のない露地でも容易に設置が可能となる。その他請求項１と同様な効果がある。
【００２３】
【発明の実施の形態】
この発明の第１の実施の形態の防蛾照明方法を説明する。すなわち、この防蛾照明方法は、黄色光源を備えた防蛾照明装置を設置して、黄色光源からの黄色光によりほ場の夜間照明を行い、作物へのヤガ等による被害の軽減を行うものである。黄色光源からの黄色光は、作物近傍の照度がこの作物の生育にほぼ影響を及ぼさない照度以下となるよう、作物の外方を照射する。この場合、黄色光源は例えば作物の少なくとも上方を覆うように照射し、または作物の少なくとも外側方の所定高さ範囲を覆うように照射する。
【００２４】
実施の形態として、キク等の日長反応する露地栽培植物では、防蛾灯の栽培側の下部に半透光性の幕を設置し、器具近辺の照度を下げるとともに、外方向には光の遮光を行わない方法とする。この方法であれば、栽培部以外は黄色光のベールで覆い、作物部分のみは生育に影響のない一定の照度以下に維持が可能である。この場合はヤガに対する忌避効果と行動抑制効果の両方が期待できる。この場合の行動抑制とは、黄色光によるヤガの明適応による交尾抑制や産卵抑制のことをいう。
【００２５】
この発明の第２の実施の形態の防蛾照明方法を説明する。すなわち、この防蛾照明方法は、第１の実施の形態の防蛾照明方法において、ハウス栽培で遮光板付きの器具を上方に向けて設置するものである。この方法であれば、ハウス幕での反射光を除く光源からの直接光は栽培作物に到達せず、生育に影響のない一定の照度以下に維持できる。露地では反射光がないため、基本的には栽培部の照度は０ルクスとなる。この結果、ヤガの上方からのほ場への侵入を防ぐことが可能である。この場合の被害軽減に利用する黄色光の効果とは、ヤガ類に対する忌避効果であり、行動抑制効果ではない。
【００２６】
この発明の第３の実施の形態の防蛾照明装置を図１および図２により説明する。すなわち、この防蛾照明装置は、黄色光源１を備えてほ場に設置され、黄色光源１からの黄色光によりヤガ等による被害の軽減を行うものである。ほ場への設置状態で、作物へ照射する黄色光はこの作物にほぼ影響を及ぼさない照度以下となるよう、黄色光を作物外方へ照射する。この場合、黄色光源１は例えば複数の黄色LED とし、その照射方向が略水平から斜め上方の範囲となるようする。
図１および図２は防蛾照明装置であり、図１は下方から見た平面図、図２はその断面図であり、例えばφ２０〜３０ｃｍ位の丸いガラエポ材のプリント基板を用いた例えば円形の基板２を製作し、その基板２に黄色のLED の黄色光源１の取付脚を外側に曲げて実装している。ＬＥＤの数は例えば１５０〜２００個であり、基板２のほぼ全面の周方向および径方向に所定の間隔で設置している。７は支柱等への取付穴である。
【００２７】
図２に示すように基板２の周辺付近のＬＥＤの光源１ａは約垂直下方から６０度の方向に向き、基板２の周辺と中央との間のＬＥＤの光源１ｂは約４５度下方に向き、中央付近のＬＥＤの光源１ｃは下向きまたは上向きとしている。
【００２８】
ほ場に入った害虫の行動を抑制させるためには明るさが必要であり、作物への影響のない範囲で栽培部に対して明るさをとったほうが望ましい。また照明装置の器具を1 ．5m以上の高さで外側に向けるとともに、栽培部側に対しては半透光材を用いて、作物への影響がない範囲で照度が得られる方が望ましい。この場合は、夜蛾に対する忌避効果と行動抑制効果の両方が期待できる。
【００２９】
すなわち、ヤガ類の飛行高度を求める実験で、フェロモントラップの設置高さを変えて各高さごとにフェロモントラップに誘引されたヤガの数を求めると、地上50cmで3 ．0 匹、100cm で8 ．0 匹、150cm で26匹、200cm で42匹であった（鎌田茂・上和田秀美・櫛下町鉦敏：オオタバコガ発生調査のための性フェロモントラップの検討、九州病害虫研究会報、第43巻98頁（1997））。これらのことから考えられることは、少なくとも地上1 ．5m以上をヤガ類は好んで飛ぶことが考えられる。
【００３０】
また黄色光源１に黄色LED を用いれば、忌避効果のみが期待できるが、黄色蛍光ランプ（現在の防蛾灯）よりも高い輝度を得ることが可能になり、黄色蛍光ランプよりも高い忌避効果が期待できる。さらに、黄色LED の配置を円形凸面にすれば、およそ水平から上方まで満遍なく忌避効果が得られる。
【００３１】
また黄色LED を水平または少し上方に向けることにより、ほ場周辺からのヤガの飛来に対しての忌避効果が期待できる。この場合、黄色LED は全方位型が望ましく、円形や多角形にLED を配置すればよい。
【００３２】
この発明の第４の実施の形態を図３および図４により説明する。すなわち、この防蛾照明装置は、太陽電池３およびその太陽電池３により充電される蓄電池４を備え、蓄電池４からの電力により黄色光源１を点灯させる。実施の形態の防蛾照明装置は、例えば八角形などの多角筒形の本体５を支柱６の上端部に設置し、その外周面の全周または一面置きに黄色光源１であるＬＥＤを周方向および軸方向それぞれに所定間隔で多数設置して全方位型としている。
【００３３】
太陽電池３によって昼間発電された電気を蓄電池４に蓄える。そして、蓄えられた電気を夜間黄色LED に供給し、点灯する。
【００３４】
LED は小電力で点灯が可能であるが、電源線のない露地では電源工事にコストがかかる。そのため、太陽電池及びその太陽電池により充電される蓄電池を備え、蓄電池からの電力により黄色LED を点灯することにより、電源線のない露地でも容易に設置が可能となる。
【００３５】
【発明の効果】
請求項１記載の防蛾照明装置によれば、光を水平から斜め上方に照射することができ、黄色光が作物に影響を与えることなく、作物の外方となる上方あるいは外側方を覆うように照射することができるので、外から栽培部への夜蛾の進入を忌避することができるとともに産卵活動等の行動を抑制して被害を軽減することができる。
これにより、従来は困難であった日長反応する植物（キク・イチゴ・ホウレンソウなど）の夜蛾の防除を農薬を減らして実現することが可能になった。
【００３６】
請求項２記載の防蛾照明装置によれば、ＬＥＤは小電力で点灯が可能であり、さらに、電源線のない露地では電源工事にコストがかかる。そのため、太陽電池及びその太陽電池により充電される蓄電池を備え、蓄電池からの電力により黄色ＬＥＤを点灯することにより、電源線のない露地でも容易に設置が可能となる。その他請求項１と同様な効果がある。
【図面の簡単な説明】
【図１】この発明の第３の実施の形態の下からみた平面図である。
【図２】その断面図である。
【図３】第４の実施の形態の側面図である。
【図４】その平面図である。
【符号の説明】
１    黄色光源
２    基板
３    太陽電池
４    蓄電池
５    本体
【図１】
0003879557.tif 000002
【図２】
0003879557.tif 000003
【図３】
0003879557.tif 000004
【図４】
0003879557.tif 000005